(57)【要約】【課題】  遺失物となった携帯電話の拾得者に届出の動機付けを付与することによって迅速な携帯電話の発見及び返還を図ることができる遺失物または拾得物総合支援情報システムを提供する。【解決手段】  ユーザ端末１、クライアント端末２並びに遺失物または拾得物情報サーバ４により遺失物または拾得物の管理を支援する遺失物または拾得物総合支援情報システムであって、ユーザ端末１は受領情報送信手段５を備え、クライアント端末２は拾得物情報送信手段６を備え、遺失物または拾得物情報サーバ４は拾得物情報登録手段７、拾得物情報検索手段８、拾得情報通知手段９、謝礼情報通知手段１２及び謝礼提供手段１３を備える。【選択図】  図１
2006107094.tif 000002
【特許請求の範囲】
【請求項１】
ユーザ端末、クライアント端末及び遺失物または拾得物情報サーバにより遺失物または拾得物の管理を支援する遺失物または拾得物総合支援情報システムであって、
前記ユーザ端末は、遺失物の受領を遺失物受領情報として通信回線を介して送信する受領情報送信手段を備え、
前記クライアント端末は、拾得者が拾得した拾得物の情報を通信回線を介して送信する拾得物情報送信手段を備え、
前記遺失物または拾得物情報サーバは、
前記拾得物情報送信手段によって送信された拾得物の情報を受信し、該拾得物の情報を登録する拾得物情報登録手段と、
前記拾得物情報登録手段から関連付けられた拾得物情報を検索する拾得物情報検索手段と、
該拾得物情報検索手段により検索された拾得物のユーザに通知を行う拾得情報通知手段と、
前記受領情報送信手段によって送信された遺失物の受領情報を受信し、該遺失物の受領情報に基づいて拾得物の拾得者に謝礼情報を送信する謝礼情報通知手段と、
拾得物の拾得者に対して謝礼を提供する謝礼提供手段を備える
ことを特徴とする遺失物または拾得物総合支援情報システム。
【請求項２】
前記クライアント端末は、
遺失届けまたは拾得届けの公告から所定の期間経過した遺失物または拾得物の情報を登録する拾得物経過情報登録手段と、
所定の期間経過した遺失物または拾得物の情報を拾得物経過情報として通信回線を介して送信する拾得物経過情報送信手段を備え、
前記遺失物または拾得物情報サーバは、前記拾得物経過情報送信手段によって送信された拾得物経過情報を基に、再販する拾得物のデータを作成して、拾得物をインターネットにおいて再販する拾得物再販手段を備える
ことを特徴とする請求項１に記載の遺失物または拾得物総合支援情報システム。
【請求項３】
ユーザ端末、クライアント端末、ユーザ情報サーバ、並びに遺失物または拾得物情報サーバにより携帯電話に関する遺失物または拾得物の管理を支援する遺失物または拾得物総合支援情報システムであって、
前記ユーザ端末は、携帯電話の受領を遺失物受領情報として通信回線を介して送信する受領情報送信手段を備え、
前記クライアント端末は、拾得者が拾得した携帯電話のＩＤ情報を通信回線を介して送信する拾得物情報送信手段を備え、
前記ユーザ情報サーバは、
携帯電話のＩＤ情報に関連付けてユーザを特定できる情報を登録するユーザ情報登録手段と、
前記遺失物または拾得物情報サーバから送信されるユーザ情報に基づいて関連付けられたユーザに通知を行う拾得情報通知手段を備え、
前記遺失物または拾得物情報サーバは、
前記拾得物情報送信手段によって送信された携帯電話のＩＤ情報を受信し、該ＩＤ情報に基づいてユーザ情報サーバに登録されたユーザ情報を検索するユーザ情報検索手段と、
該ユーザ情報検索手段によって検索されたユーザ情報をユーザ情報サーバに通知するユーザ情報通知手段と、
前記受領情報送信手段によって送信された携帯電話の受領情報を受信し、該携帯電話の受領情報に基づいて拾得物の拾得者に謝礼情報を送信する謝礼情報通知手段と、
携帯電話の拾得者に対して謝礼を提供する謝礼提供手段を備える
ことを特徴とする遺失物または拾得物総合支援情報システム。
【請求項４】
前記クライアント端末は、
遺失届けまたは拾得届けの公告から所定の期間経過した遺失物または拾得物の情報を登録する拾得物経過情報登録手段と、
所定の期間経過した遺失物または拾得物の情報を拾得物経過情報として通信回線を介して送信する拾得物経過情報送信手段を備え、
前記遺失物または拾得物情報サーバは、前記拾得物経過情報送信手段によって送信された拾得物経過情報を基に、再販する拾得物のデータを作成して、拾得物をインターネットにおいて再販する拾得物再販手段を備える
ことを特徴とする請求項３に記載の遺失物または拾得物総合支援情報システム。
【発明の詳細な説明】
【技術分野】
【０００１】
本発明は、遺失物または拾得物総合支援情報システムに関する。詳しくは、ユーザ端末、クライアント端末並びに遺失物または拾得物情報サーバにより遺失物または拾得物の管理を支援する遺失物または拾得物総合支援情報システムに係るものである。
【背景技術】
【０００２】
一般に、ＪＲ、バス、地下鉄及びタクシー等の公共交通機関の事業者等は、構内や車内等における忘れ物、落とし物等の遺失物を一時的に保管し、利用者の求めに応じて遺失物を探し出し、落とし主に返還するというサービスを行っている。
【０００３】
しかし、例えば相互乗り入れがなされている鉄道事業者等の場合には、その利用者数が膨大なものであり、車両数（便数）も大きく、構内面積も広いために遺失物の数も膨大なものとなり、更には利用者等にとっても持ち物を紛失した場所を特定することが困難であった。
【０００４】
従って、落とし主が遺失物を紛失した路線名や駅名等を認識しており遺失物を保管している場所をある程度特定できる場合、遺失物に持ち主の名前が書かれている場合等を除いては、遺失物を探し出すことは非常に困難であると共に極めて多くの手間を必要とするという問題があった。
【０００５】
上記の様な問題に対して、定期券発行時に発行する定期券に定期券ＩＤを割り当てると共に、遺失物管理に用いられる利用者の所有物に貼り付けるバーコードＩＤを割り当て、定期券ＩＤとバーコードＩＤとを対応つけてＩＤデータベースに登録し、後にバーコードＩＤが貼り付けられた所有物が遺失物となった場合にバーコードＩＤに基づいて検索を行う遺失物管理支援システム（例えば、特許文献１参照。）や、管理ＩＤに対応する物品ＩＤを付与された物品が遺失され、物品ＩＤが通知された場合に拾得の旨を登録する一方、管理ＩＤの通知によりこの通知を基に登録された物品の管理を行う遺失物管理支援システム（例えば、特許文献２参照。）や、ユーザ端末に表示される遺失物届出画面に入力された遺失物情報を、ネットワーク経由で遺失物管理受付サーバが受け取り、遺失物届出情報を含む遺失物データを作成し、照合サーバに送信し、照合サーバは、拾得物の情報を含む拾得物データと遺失物データとの照合を行い、照合で一致すれば遺失物管理受付サーバが該当品発見メールを、一定期間拾得物データとの照合で一致しなければ該当品不発見メールをユーザ端末に送信する遺失物管理支援システムが提案されている（例えば、特許文献３参照。）。
【０００６】
【特許文献１】特開２０００−２７６５２９号公報  （第２−７頁、第１図）
【特許文献２】特開２００２−７３９０８号公報  （第２−７頁、第１図）
【特許文献３】特開２００２−１８９８３９号公報  （第２−９頁、第１図）
【発明の開示】
【発明が解決しようとする課題】
【０００７】
しかしながら、上記のような従来の遺失物管理支援システムにおいては、遺失物の所有者が特定することができずに保管先に保管されたままの状態となってしまうという事態を防止することができるものの、遺失物の拾得者に対して積極的に拾得物を届け出ようとする動機付けを喚起する要素が無いために遺失物が拾得者に流用等がなされ、遺失物が持ち主に返還されないケースも生じ得る。
特に、近年、遺失物の品目の中で上位を占める携帯電話は、住所録や電話番号等の重要な個人情報を蓄積しているだけでなく、クレジットカードと同様に利用できるものもあり、拾得者に流用等がなされ、持ち主に返還されないケースが顕著となり得る。
【０００８】
本発明は、以上の点に鑑みて創案されたものであり、遺失物の拾得者に届出の動機付けを付与することによって迅速な携帯電話の発見及び返還を図ることができる遺失物または拾得物総合支援情報システムを提供することを目的とするものである。
【課題を解決するための手段】
【０００９】
上記の目的を達成するために、本発明の遺失物または拾得物総合支援情報システムは、ユーザ端末、クライアント端末及び遺失物または拾得物情報サーバにより遺失物または拾得物の管理を支援する遺失物または拾得物総合支援情報システムであって、前記ユーザ端末は、遺失物の受領を遺失物受領情報として通信回線を介して送信する受領情報送信手段を備え、前記クライアント端末は、拾得者が拾得した拾得物の情報を通信回線を介して送信する拾得物情報送信手段を備え、前記遺失物または拾得物情報サーバは、前記拾得物情報送信手段によって送信された拾得物の情報を受信し、該拾得物の情報を登録する拾得物情報登録手段と、前記拾得物情報登録手段から関連付けられた拾得物情報を検索する拾得物情報検索手段と、該拾得物情報検索手段により検索されたユーザに通知を行う拾得情報通知手段と、前記受領情報送信手段によって送信された遺失物の受領情報を受信し、該遺失物の受領情報に基づいて拾得物の拾得者に謝礼情報を送信する謝礼情報通知手段と、拾得物の拾得者に対して謝礼を提供する謝礼提供手段を備える。
【００１０】
また、本発明の遺失物または拾得物総合支援情報システムは、ユーザ端末、クライアント端末、ユーザ情報サーバ、並びに遺失物または拾得物情報サーバにより携帯電話に関する遺失物または拾得物の管理を支援する遺失物または拾得物総合支援情報システムであって、前記ユーザ端末は、携帯電話の受領を遺失物受領情報として通信回線を介して送信する受領情報送信手段を備え、前記クライアント端末は、拾得者が拾得した携帯電話のＩＤ情報を通信回線を介して送信する拾得物情報送信手段を備え、前記ユーザ情報サーバは、携帯電話のＩＤ情報に関連付けてユーザを特定できる情報を登録するユーザ情報登録手段と、前記遺失物または拾得物情報サーバから送信されるユーザ情報に基づいて関連付けられたユーザに通知を行う拾得情報通知手段を備え、前記遺失物または拾得物情報サーバは、前記拾得物情報送信手段によって送信された携帯電話のＩＤ情報を受信し、該ＩＤ情報に基づいてユーザ情報サーバに登録されたユーザ情報を検索するユーザ情報検索手段と、該ユーザ情報検索手段によって検索されたユーザ情報をユーザ情報サーバに通知するユーザ情報通知手段と、前記受領情報送信手段によって送信された携帯電話の受領情報を受信し、該携帯電話の受領情報に基づいて拾得物の拾得者に謝礼情報を送信する謝礼情報通知手段と、携帯電話の拾得者に対して謝礼を提供する謝礼提供手段を備える。
【発明の効果】
【００１１】
本発明に係る遺失物または拾得物総合支援情報システムは、遺失物の拾得者に届出の動機付けを付与することによって迅速な携帯電話の発見及び返還を図ることができる。
【発明を実施するための最良の形態】
【００１２】
以下、本発明の実施の形態について図面を参照しながら説明し、本発明の理解に供する。
図１に本発明を適用した遺失物または拾得物総合支援情報システムの一例を説明するためのブロック図を示す。ここで示すユーザ（遺失者）が有するユーザ端末１及び公共交通機関の事業者（鉄道会社、バス会社、タクシー会社、船舶会社、航空会社等）、商業施設（ショッピングモール、コンビニエンスストア等）、交番等が有するクライアント端末２はインターネット３を介して遺失物または拾得物情報サーバ４と相互に通信が可能である様に構成されている。
ここで、ユーザ端末１と遺失物または拾得物情報サーバ４の通信、並びにクライアント端末２と遺失物または拾得物情報サーバ４の通信、は、それぞれが互いにアクセスすることが可能であれば、必ずしもインターネット接続を利用する必要はなく、ＬＡＮ（Local Area Network）接続や専用線接続等を利用してもよい。
【００１３】
ここで、ユーザ端末１は受領情報送信手段５を備え、遺失物を受領した旨を遺失物または拾得物情報サーバ４に送信できるように構成されている。
【００１４】
ここで、クライアント端末２は、拾得物情報送信手段６を有し、拾得者が拾得した拾得物の情報を通信回線を介して送信することができるように構成されている。なお、ここでいう「拾得物の情報」とは、拾得物に関する情報であればよく、例えば拾得物の品目、色、形状、模様等に関する文字情報や、拾得物の画像情報等が含まれ、これらの情報と共に拾得日、拾得場所等に関する情報も送信されてもよい。
【００１５】
ここで、遺失物または拾得物情報サーバ４は、拾得物情報登録手段７、拾得物情報検索手段８、拾得情報通知手段９、謝礼情報通知手段１０及び謝礼提供手段１１を有し、拾得物情報登録手段はクライアント端末の拾得物情報送信手段から送信されてきた拾得物に関する情報を登録できるように構成され、拾得物情報検索手段は拾得物情報登録手段に登録された拾得物情報の中から、問い合わせてきたユーザ（遺失者）からの遺失物情報と合致する拾得物を検索できるように構成され、拾得情報通知手段は検索された拾得物のユーザ（遺失者）に対して遺失物が拾得された旨を電子メールによって通知することができるように構成され、謝礼情報通知手段はユーザ端末の受領情報送信手段によって送信された遺失物の受領情報を受信した場合に、拾得物の拾得者に対して謝礼情報を電子メールによって提供することができるように構成され、謝礼提供手段は謝礼情報の通知を受けた拾得者の希望に応じた謝礼を拾得者に提供することができる様に構成されている。
また、拾得情報通知手段は、遺失物の届出があった旨を所有者に通知することができるのであればどの様な手段でも良く、電子メールによる通知に限定されることは無く、電話や郵便による通知であっても構わないのは勿論である。
更に、謝礼情報通知手段は、拾得物の拾得者に対して謝礼情報を通知することができるのであればどの様な手段でも良く、電子メールによる通知に限定されることは無く、電話や郵便による通知であっても構わない。
【００１６】
本発明を適用した遺失物または拾得物総合支援情報システムでは、遺失物を拾得した拾得者は謝礼を得ることができるために、積極的に拾得した遺失物を届け出るというインセンティブが働き、拾得物の届出数の増大が期待できるものである。
【００１７】
また、遺失届けまたは拾得届けの公告から所定の期間（６ヶ月）経過した遺失物または拾得物の情報を登録するように構成された拾得物経過情報登録手段と、拾得物経過情報を通信回線を介して送信する拾得物経過情報送信手段をクライアント端末が備えて、拾得物経過情報を遺失物または拾得物情報サーバに送信し、遺失物または拾得物情報サーバは、送られてきた拾得物経過情報を基に、再販する拾得物のデータを作成して、拾得物をインターネットにおいて再販（オークション方式または売価設定方式）するよう構成された拾得物再販手段を備えることで、資源の再利用を図ることができ、また、保管されていた物品を処理できると共に再販益を拾得物保管コストの一部に補填することができて好ましい。
【００１８】
図２に本発明を適用した遺失物または拾得物総合支援情報システムの他の一例を説明するためのブロック図を示す。ここで示すユーザ（遺失者）が有するユーザ端末１及び公共交通機関の事業者（鉄道会社、バス会社、タクシー会社、船舶会社、航空会社等）、商業施設（ショッピングモール、コンビニエンスストア等）、交番等が有するクライアント端末２はインターネット３を介して遺失物または拾得物情報サーバ４と相互に通信が可能である様に構成されている。また、移動体通信会社（携帯電話会社）が有するユーザ情報サーバ１２はインターネット３を介して遺失物または拾得物情報サーバ４及びユーザ端末１と接続されており、少なくとも遺失物または拾得物情報サーバ４からの情報を得ることができると共にユーザ端末１に情報を送信することができる様に構成されている。更に、専用のコールセンター１６が、インターネット３を介して遺失物または拾得物情報サーバ４と接続されている。
【００１９】
ここで、ユーザ端末１と遺失物または拾得物情報サーバ４の通信、クライアント端末２と遺失物または拾得物情報サーバ４の通信、遺失物または拾得物情報サーバ４とユーザ情報サーバ１２の通信、ユーザ情報サーバ１２とユーザ端末１の通信、並びに遺失物または拾得物情報サーバ４とコールセンター１７の通信は、それぞれが互いにアクセスすることが可能であれば、必ずしもインターネット接続を利用する必要はなく、ＬＡＮ（Local Area Network）接続や専用線接続等を利用してもよい。
【００２０】
ここで、ユーザ端末１は受領情報送信手段５を備え、遺失物（携帯電話）を受領した旨を遺失物または拾得物情報サーバ４に送信できるように構成されている。
【００２１】
ここで、クライアント端末２は、拾得物情報送信手段６を有し、拾得者が拾得した携帯電話のＩＤ情報を通信回線を介して送信することができるように構成されている。
【００２２】
また、ユーザ情報サーバ１２は、ユーザ情報登録手段１３及び拾得情報通知手段９を有し、ユーザ情報登録手段１３は住所、氏名、メールアドレス等の携帯電話の所有者（利用者）の情報が携帯電話機のＩＤ情報（携帯電話番号、携帯電話端末シリアル番号等）と関連付けられた状態で登録することができる様に構成され、拾得情報通知手段９は、遺失物または拾得物情報サーバのユーザ情報通知手段によって送信されたユーザ情報に基づいて、携帯電話の所有者（利用者）に遺失物（携帯電話）が拾得された旨を最適な連絡手段（固定電話、電子メール、郵便等）によって通知することができる様に構成されている。
【００２３】
また、遺失物または拾得物情報サーバ４は、ユーザ情報検索手段１４、ユーザ情報通知手段１５、謝礼情報通知手段１０及び謝礼提供手段１１を有し、ユーザ情報検索手段１４はクライアント端末２の拾得物情報送信手段６によって送信された携帯電話のＩＤ情報（携帯電話番号、携帯電話端末シリアル番号等）に基づいてユーザ情報サーバ１２に登録されたユーザ情報を検索できるように構成され、ユーザ情報通知手段１５は、検索されたユーザ情報をユーザ情報サーバ１２に通知することができるように構成され、謝礼提供手段１１は謝礼情報通知手段１０によって通知し、謝礼情報の通知を受けた拾得者の希望に応じた謝礼を拾得者に提供することができる様に構成されている。
【００２４】
ここで、専用のコールセンター１６は、ユーザ（遺失者）及び拾得者が遺失物または拾得物情報サーバ４にアクセス可能である端末を有していない場合や、遺失物または拾得物情報サーバにアクセス可能である端末を有していたとしても様々な事情（端末の故障、操作が不得手等）により、遺失物または拾得物情報サーバ４にアクセスできない場合に、検索、通知、ユーザ（遺失者）及び拾得者からの問い合わせに対する対応等の代行業務を請け負わせることによって、様々な環境のユーザ（遺失者）及び拾得者に対応できるが、ユーザ（遺失者）及び拾得者が遺失物または拾得物情報サーバにアクセス可能であれば、専用のコールセンターは設けなくてもよい。
【００２５】
上記のように構成された遺失物または拾得物総合支援情報システムにおいては、遺失物（携帯電話）が拾得され、拾得者や公共交通機関の事業者等が、携帯電話のＩＤ情報（携帯電話番号、端末シリアル番号等）を、非接触ＩＣ情報読取機等によって読み取り、保管場所や拾得日時等の情報と共に拾得物情報としてクライアント端末の拾得物情報送信手段を用いてインターネットを介して遺失物または拾得物情報サーバに送信すると、クライアント端末から拾得物情報を受信した遺失物または拾得物情報サーバでは、ユーザ情報検索手段を用いて携帯電話のＩＤ情報に基づきユーザ情報サーバに登録されたユーザ情報を検索する。続いて、ユーザ情報検索手段によって検索されたユーザ情報を、ユーザ情報通知手段を用いてユーザ情報サーバ（移動体通信会社）に通知する。
なお、非接触ＩＣ情報読取機等で読み取ったＩＤ情報は暗号化されており、公共交通機関やその他拾得物を取り扱う所において個人情報が開示されることはない。また、遺失物または拾得物情報サーバに携帯電話のＩＤ情報が送信されるのであれば、クライアント端末の拾得物情報送信手段を用いてインターネットを介して、携帯電話のＩＤ情報を保管場所や拾得日時等の情報と共に拾得物情報としてユーザ情報サーバへ送信してもよい。
【００２６】
遺失物または拾得物情報サーバのユーザ情報通知手段によるユーザ情報の通知を受けたユーザ情報サーバでは、ユーザ情報に基づいてユーザ（携帯電話の所有者）に対して拾得情報通知手段を用いて最適な連絡手段（固定電話、電子メール、郵便等）によって遺失物（携帯電話）が拾得された旨（拾得された日時、保管場所、引き取り方法等）の通知を行う。併せてユーザ情報サーバに、通知した情報を反映させておけば、ユーザ（遺失者）からの連絡や問い合わせに迅速に対応できて好ましい。
【００２７】
その後、保管場所にて本人確認を行い遺失物（携帯電話）の返還を受けたユーザ（遺失者）は、ユーザ端末の受領情報送信手段を用いて遺失物（携帯電話）の返還を受けた旨、すなわち遺失物（携帯電話）を受領した旨を、インターネットを介して遺失物または拾得物情報サーバに通知すると、受領情報を受信した遺失物または拾得物情報サーバは、拾得物の拾得者に対して携帯電話の受領情報に基づき所定の謝礼情報を最適な連絡手段（固定電話、電子メール、郵便等）によって通知する。謝礼情報に関する通知を受けた拾得者は、謝礼情報から拾得者の希望に応じた現金や商品券等の謝礼を遺失物または拾得物情報サーバの謝礼提供手段より受け取る。
【００２８】
本発明を適用した遺失物または拾得物総合支援情報システムでは、携帯電話を拾得した拾得者は謝礼を得ることができるために、積極的に拾得した遺失物を届け出るというインセンティブが働き、拾得物の届出数の増大が期待できるものである。これにより、携帯電話の保管場所が速やかに判り、携帯電話を紛失したことによる不安を早期に解消し、遺失者に安心感を提供できる。
【００２９】
また、移動体通信会社のユーザ情報サーバは拾得物情報を受信しているので、携帯電話を遺失した携帯電話の所有者（契約者）に携帯電話が拾得物として保管されている旨の連絡がつかなかったり、携帯電話の所有者（契約者）が、かかる連絡に気づかず移動体通信会社に問い合わせてきたりした場合でも、移動体通信会社はユーザ情報サーバを照会することにより携帯電話の所有者（契約者）に拾得物情報を伝えることができ、機会損失を防ぎ安易な解約を抑制できる。また、もし携帯電話の所有者（契約者）が移動体通信会社に問い合わせてきた時にユーザ情報サーバが拾得物情報を受信していなければ、遺失物または拾得物総合支援情報システムの内容を携帯電話の所有者（契約者）に伝え、利用中断手続にとどめて解約を暫く待ってもらえるように勧められ、解約を抑制できる。
【００３０】
また、遺失物または拾得物情報サーバの謝礼提供手段を用いて謝礼を提供しているために、安心かつ確実な取引が可能となる。即ち、従来、謝礼というのは遺失者が拾得者に対して感謝の気持ちを込めて金銭や物品等を贈るものであるが、幾ら遺失者と拾得者の関係にあるとはいえ、本来ならば全くの他人であるために謝礼の提供を受けるためだけに自らの個人情報を提供するというのは拾得者にとって非常に不安であるといえる。従って、遺失物または拾得物情報サーバの謝礼提供手段を用いて謝礼の提供を行うことによって、可能な限り遺失者と拾得者同士の介在を避けることができ、即ち、遺失者に拾得者の個人情報を伝わらない様にすることができるために、安心かつ確実な取引が可能となる。
【図面の簡単な説明】
【００３１】
【図１】本発明を適用した遺失物または拾得物総合支援情報システムの一例を説明するためのブロック図である。
【図２】本発明を適用した遺失物または拾得物総合支援情報システムの他の一例を説明するためのブロック図である。
【符号の説明】
【００３２】
１    ユーザ端末
２    クライアント端末
３    インターネット
４    遺失物または拾得物情報サーバ
５    受領情報送信手段
６    拾得物情報送信手段
７    拾得物情報登録手段
８    拾得物情報検索手段
９    拾得情報通知手段
１０    謝礼情報通知手段
１１    謝礼提供手段
１２    ユーザ情報サーバ
１３    ユーザ情報登録手段
１４    ユーザ情報検索手段
１５    ユーザ情報通知手段
１６    コールセンター
【図１】
2006107094.tif 000003
【図２】
2006107094.tif 000004